(57)【要約】【課題】媒体を処理する媒体処理装置の状態を利用者に確実に通知することのできる媒体処理装置用の媒体挿入部と、これを備える媒体処理装置を提供する。【解決手段】カードに対する処理を行うカードリーダ１００に搭載されるゲートフレーム２０は、磁気カードが挿入・排出されるゲート口２１ａと、磁気カードの挿入方向から見てゲート口２１ａの周囲の一部に設けられた２つの表示部５と、を備え、各表示部５は、カードリーダ１００の状態を示す情報（稼働中、読み取り中、休止中といった文字等）を表示する。【選択図】図５
2019144839.tif 000002
【特許請求の範囲】
【請求項１】
媒体に対する処理を行う媒体処理装置に搭載される媒体挿入部であって、
前記媒体が挿入される挿入口と、
前記媒体の挿入方向から見て前記挿入口の周囲の少なくとも一部に設けられた表示部と、を備え、
前記表示部は、前記媒体処理装置の状態を示す情報を表示する媒体挿入部。
【請求項２】
請求項１記載の媒体挿入部であって、
前記表示部は、前記媒体が前記挿入口に挿入された状態において、前記媒体処理装置の状態を示す情報として、前記媒体に対する前記処理を実行中であることを示す情報を表示する媒体挿入部。
【請求項３】
請求項１又は２記載の媒体挿入部であって、
前記表示部は、前記媒体が前記挿入口に挿入されていない状態において、前記媒体処理装置の状態を示す情報として前記媒体に対する前記処理が可能であることを示す情報を表示する媒体挿入部。
【請求項４】
請求項１から３のいずれか１項記載の媒体挿入部であって、
前記表示部は、前記媒体処理装置の状態を示す情報として、前記媒体に対する前記処理が不可であることを示す情報を表示する媒体挿入部。
【請求項５】
請求項１から４のいずれか１項記載の媒体挿入部であって、
前記表示部は、前記媒体処理装置の状態を示す情報として、前記媒体処理装置に生じている障害の内容を示す情報を表示する媒体挿入部。
【請求項６】
請求項５記載の媒体挿入部であって、
前記表示部は、前記媒体処理装置がメンテナンスモードの場合に前記障害の内容を示す情報を表示する媒体挿入部。
【請求項７】
請求項１から６のいずれか１項記載の媒体挿入部であって、
前記媒体挿入部に物体が近づいたことを検知するセンサを備え、
前記表示部は、前記媒体挿入部に物体が近づいたことが前記センサにより検知された場合に、前記媒体処理装置の状態を示す情報の表示を開始する媒体挿入部。
【請求項８】
請求項１から７のいずれか１項記載の媒体挿入部であって、
前記表示部は、カラー表示が可能である媒体挿入部。
【請求項９】
請求項１から８のいずれか１項記載の媒体挿入部であって、
前記表示部は、液晶表示素子、有機ＥＬ表示素子、又は電子ペーパを含む媒体挿入部。
【請求項１０】
請求項１から９のいずれか１項記載の媒体挿入部であって、
前記媒体はカードであり、前記媒体処理装置はカードリーダである媒体挿入部。
【請求項１１】
請求項１から１０のいずれか１項記載の媒体挿入部と、
前記表示部を制御する制御部と、を備える媒体処理装置。
【発明の詳細な説明】
【技術分野】
【０００１】
本発明は、紙幣又はカード等の媒体に対する処理を行う媒体処理装置と、媒体処理装置用の媒体挿入部に関する。
【背景技術】
【０００２】
カードに対し、記録された情報の読み取り又は情報の記録等の処理を行う装置を備えたカードリーダにおいて、カード挿入口の周辺部分を光らせることが行われている（例えば、特許文献１参照）。
【先行技術文献】
【特許文献】
【０００３】
【特許文献１】特開２０１０−０２０４２７号公報
【発明の概要】
【発明が解決しようとする課題】
【０００４】
特許文献１に記載されたカードリーダのように、カード挿入口を光らせる構成によれば、カードリーダの動作状態等を光によって通知することができ利便性が高い。しかし、光を発光させるだけでは、通知内容が限定的であり、また、利用者にとってはどのような通知なのかを知ることが難しい。このような課題は、カードリーダに限らず、紙幣又は貨幣等の媒体に対しこれを識別する処理を行う装置において、紙幣又は貨幣を挿入する挿入口の周辺を光らせる場合にも同様に生じ得る。
【０００５】
本発明は、上記事情に鑑みてなされたものであり、媒体を処理する媒体処理装置の状態を利用者に通知することのできる媒体処理装置用の媒体挿入部と、これを備える媒体処理装置を提供することを目的としている。
【課題を解決するための手段】
【０００６】
本発明の媒体挿入部は、媒体に対する処理を行う媒体処理装置に搭載される媒体挿入部であって、前記媒体が挿入される挿入口と、前記媒体の挿入方向から見て前記挿入口の周囲の少なくとも一部に設けられた表示部と、を備え、前記表示部は、前記媒体処理装置の状態を示す情報を表示するものである。
【０００７】
本発明の媒体処理装置は、前記媒体挿入部と、前記表示部を制御する制御部と、を備えるものである。
【発明の効果】
【０００８】
本発明によれば、媒体を処理する媒体処理装置の状態を利用者に通知することのできる媒体処理装置用の媒体挿入部と、これを備える媒体処理装置を提供することができる。
【図面の簡単な説明】
【０００９】
【図１】本発明の媒体処理装置の一実施形態である磁気カードのカードリーダ１００の概略構成を示す模式図である。
【図２】図１に示すカードリーダ１００のゲートフレーム２０を磁気カードの挿入方向から見た正面図である。
【図３】図１に示すカードリーダ１００のハードウェアの概略構成を示す図である。
【図４】図３に示す制御部１の動作を説明するためのフローチャートである。
【図５】図４のステップＳ２における表示部５の表示状態の一例を示す図である。
【図６】図４のステップＳ５における表示部５の表示状態の一例を示す図である。
【図７】図４のステップＳ９における表示部５の表示状態の一例を示す図である。
【図８】図４のステップＳ１１における表示部５の表示状態の一例を示す図である。
【図９】図４のステップＳ１３における表示部５の表示状態の一例を示す図である。
【図１０】図２に示すゲートフレーム２０の変形例を示す正面図である。
【発明を実施するための形態】
【００１０】
（カードリーダの概略構成）
図１は、本発明の媒体処理装置の一実施形態である磁気カードのカードリーダ１００の概略構成を示す模式図である。図２は、図１に示すカードリーダ１００のゲートフレーム２０を磁気カードの挿入方向から見た正面図である。
【００１１】
図１に示すように、カードリーダ１００は、ゲートフレーム２０と、シャッタソレノイド３と、磁気カードの幅方向の長さを検出する幅検知スイッチ４ａと、シャッタ開閉スイッチ４ｂと、を備える。
【００１２】
ゲートフレーム２０は、光を透過する材料にて構成され、その中央部に、磁気カードを挿入又は排出するための開口部であるゲート口２１ａが形成された拡開部２１と、拡開部２１と対面する位置に形成された２つの表示部５（図２参照）と、を備える。ゲート口２１ａは挿入口を構成し、ゲートフレーム２０は媒体挿入部を構成する。
【００１３】
図２に示すように、表示部５は、磁気カードの挿入方向から見た状態において、ゲート口２１ａの周囲の領域の一部（図２の例ではゲート口２１ａの上側に隣接する部分とゲート口２１ａの下側に隣接する部分）に設けられている。拡開部２１は、光を透過する材料により構成されている。このため、表示部５に表示される情報は、拡開部２１を通して視認可能となっている。
【００１４】
表示部５は、二次元状に配置された複数の表示画素と、表示画素を駆動する駆動回路と、を含むものであり、情報を文字、図形、記号、映像、又は画像の少なくとも１つによって表示することができるものである。
【００１５】
表示部５は、例えば、表示画素として液晶を用いた液晶表示素子、表示画素として有機ＥＬ（ｅｌｅｃｔｒｏ−ｌｕｍｉｎｅｓｃｅｎｃｅ）を用いた有機ＥＬ表示素子、表示画素としてマイクロカプセル等を用いた電子ペーパ、又は、表示画素としてＬＥＤ（ｌｉｇｈｔ  ｅｍｉｔｔｉｎｇ  ｄｉｏｄｅ）を用いた電光掲示板等が用いられる。表示部５としては、視認性を向上させたり情報量を多くしたりするために、カラー表示可能なものを用いることが好ましく、液晶表示素子、有機ＥＬ表示素子、又は電子ペーパを特に好ましく用いることができる。
【００１６】
更に、カードリーダ１００の内部には、磁気カードに対して情報の書込み又は読み取りをする磁気ヘッド２（後述の図３参照）が設けられている。この磁気ヘッド２は、磁気カード上の磁気ストライプに接触・摺動することによって、情報の書込み又は読み取りを行う。ゲート口２１ａに磁気カードが挿入されると、磁気カードの幅方向の長さを検出する幅検知スイッチ４ａがＯＮになる。そうすると、シャッタソレノイド３の動作によって、搬送路を閉じているシャッタ（図示せず）が開くとともに、シャッタ開閉スイッチ４ｂがＯＮされ、搬送路に設けられた取り込みローラ（図示せず）の回転動作が開始されて、磁気カードがカードリーダ１００内部に取り込まれる。このように、カードリーダ１００は、磁気カードがゲート口２１ａに挿入されると、磁気カードの取込・排出処理、磁気カードの搬送処理、及び、磁気カードの情報の書込み・読み取り処理等の各種処理を磁気カードに対して行う。
【００１７】
（カードリーダの内部構成）
図３は、図１に示すカードリーダ１００のハードウェアの概略構成を示す図である。カードリーダ１００は、全体を統括制御する制御部１と、磁気ヘッド２と、シャッタソレノイド３と、検知スイッチ４（図１に示す幅検知スイッチ４ａ及びシャッタ開閉スイッチ４ｂ）と、表示部５と、カードリーダ１００を搭載する上位装置（ＡＴＭ（ａｕｔｏｍａｔｉｃ  ｔｅｌｌｅｒ  ｍａｃｈｉｎｅ）、自動改札機、又は自動券売機等）と通信するためのインタフェースである上位ＩＦ６と、磁気カードを搬送するためのカード搬送機構７と、カードリーダ１００の動作モードの切替を行うためのボタン又はスイッチ等で構成される操作部８と、を備える。
【００１８】
制御部１は、プログラムを実行して処理を行う各種のプロセッサと、ＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、を含む。各種のプロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。これら各種のプロセッサの構造は、より具体的には、半導体素子等の回路素子を組み合わせた電気回路である。制御部１は、各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００１９】
（カードリーダの動作）
図４は、図３に示す制御部１の動作を説明するためのフローチャートである。カードリーダ１００に電源が供給された後、制御部１は、カードリーダ１００の機能に障害が生じているか否かを判定する（ステップＳ１）。
【００２０】
障害が生じている状態とは、磁気カードの読み取りが不可或いは磁気カードが不正カードであるためにこの磁気カードを内部に取り込んだ内部引込状態、磁気カードがカード搬送機構７におけるどこかの位置で詰まったカード詰まり状態、又は、制御部１による制御が上手くいかないハードウェアが存在している状態等のことをいう。
【００２１】
制御部１は、障害が生じていないと判定すると（ステップＳ１：ＮＯ）、磁気カードに対する各種処理が可能であることを示す情報を表示部５に表示させる（ステップＳ２）。図５は、図４のステップＳ２における表示部５の表示状態の一例を示す図である。図５に示すように、表示部５には、“稼働中”といった文字が表示される。“稼働中”の代わりに、“サービス中”又は“カード受入可能”といった文字が表示されてもよい。また、文字に加えてアイコンや記号等を表示させてもよい。
【００２２】
ステップＳ２の後、制御部１は、磁気カードがゲート口２１ａに挿入されたか否かを幅検知スイッチ４ａの状態によって判定する（ステップＳ３）。制御部１は、磁気カードがゲート口２１ａに挿入されたと判定すると（ステップＳ３：ＹＥＳ）、磁気カードに対する上述した各種処理を実行する（ステップＳ４）。制御部１は、磁気カードがゲート口２１ａに挿入されていない場合（ステップＳ３：ＮＯ）には、表示部５の表示を継続したままステップＳ１に処理を戻す。
【００２３】
制御部１は、ステップＳ４において処理を開始すると、磁気カードに対する処理を実行中であることを示す情報を表示部５に表示させる（ステップＳ５）。図６は、図４のステップＳ５における表示部５の表示状態の一例を示す図である。図６に示すように、表示部５には、“読取中”といった文字が表示される。“読取中”の代わりに、“書込み中”又は“処理中”といった文字が表示されてもよい。また、文字に加えてアイコンや記号等を表示させてもよい。
【００２４】
ステップＳ５の後、制御部１は、処理が終了すると（ステップＳ６：ＹＥＳ）ステップＳ１に処理を戻し、処理が終了するまではステップＳ５の処理を継続する。なお、この処理の過程において磁気カードが詰まったり、磁気カードからの情報の読み込みができない等の状態になった場合には、ステップＳ６の判定がＹＥＳとなり、ステップＳ１に処理が戻り、その後、ステップＳ１の判定がＹＥＳとなる。
【００２５】
ステップＳ１において、制御部１は、障害が生じていると判定すると（ステップＳ１：ＹＥＳ）、障害が発生したことを上位装置に通知する（ステップＳ７）。そして、制御部１は、磁気カードの受け入れを停止する処理を行う（ステップＳ８）。具体的には、制御部１は、シャッタを閉じた状態に制御し、幅検知スイッチ４ａがＯＮとなってもシャッタを開く制御は実施しない。
【００２６】
更に、制御部１は、磁気カードに対する処理が不可であることを示す情報を表示部５に表示させる（ステップＳ９）。図７は、図４のステップＳ９における表示部５の表示状態の一例を示す図である。図７に示すように、表示部５には、“休止中”といった文字が表示される。“休止中”の代わりに、“故障中”又は“カード受入停止中”といった文字が表示されてもよい。また、文字に加えてアイコンや記号等を表示させてもよい。
【００２７】
ステップＳ９の後、制御部１は、メンテナンスモードへの切替指示がなされたか否かを判定する（ステップＳ１０）。図３に示した操作部８には、カードリーダ１００をメンテナンスモードと通常モードとで切り替えるためのスイッチ又はボタンが含まれる。制御部１は、このスイッチ又はボタンの操作状態によって、メンテナンスモードへの切替指示がなされたか否かを判定する。
【００２８】
制御部１は、メンテナンスモードへの切替指示がなされていないと判定した場合（ステップＳ１０：ＮＯ）にはステップＳ９に処理を戻し、メンテナンスモードへの切替指示がなされたと判定すると（ステップＳ１０：ＹＥＳ）、カードリーダ１００に生じている障害の内容を示す情報を表示部５に表示させる（ステップＳ１１）。
【００２９】
図８は、図４のステップＳ１１における表示部５の表示状態の一例を示す図である。障害が上記の内部引込状態であった場合には、図８（ａ）に示すように、表示部５には、“カード内部引き込み”といった文字が表示される。障害が上記のカード詰まり状態であった場合には、図８（ｂ）に示すように、表示部５には、“カード詰まり”といった文字が表示される。障害が、制御部１による制御が上手くいかないハードウェアが存在している状態であった場合には、図８（ｃ）に示すように、表示部５には、“その他障害”といった文字が表示される。
【００３０】
カードリーダ１００の管理者は、図８に例示された表示部５の表示内容を確認して、必要な作業を行う。例えば、表示部５が図８（ａ）又は図８（ｂ）の状態であれば、管理者がカードリーダ１００内部からカードを取り除く作業を実施する。表示部５が図８（ｃ）の状態であれば、管理者は、カードリーダ１００を上位装置から取り外し、操作部８を操作して、制御部１に故障診断のためのテスト用プログラムを実行させる。
【００３１】
制御部１は、ステップＳ１２においてテスト用プログラムを起動すると（ステップＳ１２：ＹＥＳ）、自己診断を開始する。そして、制御部１は、自己診断の結果を表示部５に表示させる（ステップＳ１３）。図９は、図４のステップＳ１３における表示部５の表示状態の一例を示す図である。図９に示すように、表示部５には、“モータ動作不可”といった文字が表示される。障害箇所によって、例えば、“モータ動作不可”の代わりに、“シャッタ動作不可”又は“記録ヘッド不良”といった文字が表示されてもよい。
【００３２】
（実施形態のカードリーダの効果）
カードリーダ１００では、ゲート口２１ａの周囲に表示部５が設けられており、この表示部５に、カードリーダ１００の動作状態やカードリーダ１００に発生している障害の内容等が表示される。このため、カードリーダ１００の利用者は、表示部５に表示された図５から図７に例示される情報によって、カードリーダ１００の状態を明確に認識することができる。
【００３３】
例えば、図４のステップＳ１の判定がＹＥＳとなる場合に、ゲート口２１ａの周囲を特定の色で光らせることで、カードリーダ１００が使用不可であることを利用者に通知する場合を想定する。この場合には、光の色だけでカードリーダ１００の状態を判断しなければならず、利用者にとってはその状態を認識しづらい。その結果、利用者は、硬い磁気カードをゲート口２１ａに無理矢理挿入する等の行動をとってしまい、カードリーダ１００の故障につながりかねない。
【００３４】
これに対し、本実施形態のカードリーダ１００では、カードリーダ１００が使用不可であることを表示部５に表示する文字等によって、利用者に確実に通知することができる。このため、利用者にとっては、使用不可であることに気付かずに磁気カードを挿入する無駄な行動を省くことができ、利便性を向上させることができる。また、カードリーダ１００の管理者にとっては、カードリーダ１００の故障を防ぐことができ、メンテナンスにかかる費用を削減することができる。
【００３５】
また、本実施形態のカードリーダ１００では、磁気カードに対して処理を行っている場合には、図６に示す表示によって、磁気カードに対する処理が行われていることを利用者に確実に通知することができる。このため、磁気カードが取り込まれてから処理に長い時間がかかる場合であっても、利用者に安心感を与えることができる。
【００３６】
また、本実施形態のカードリーダ１００は、障害が発生した場合には、その障害の内容を表示部５に表示する。このため、管理者は、障害の内容を瞬時に把握することができ、また、詳細な検査が必要な場合にのみテスト用プログラムを起動することができるため、修理を効率的に行うことができる。また、障害の内容は、カードリーダ１００がメンテナンスモードのときのみに表示される。このため、不要な情報が利用者に通知されるのを防ぐことができる。さらに、障害が発生した場合に、障害の内容を上位装置に表示させたり、外付けモニタなどを接続して表示させたりすることなく、カードリーダ単体で確認することができる。
【００３７】
また、本実施形態のカードリーダ１００は、上述した効果を上位装置のプログラムの改修を行うことなく得ることができる。上位装置の付加価値を高めつつも、上位装置の製造コストの増大を防ぐことができる。
【００３８】
（第一の変形例）
図２の例では、表示部５が２つ設けられているが表示部５は１つであってもよい。また、図２の例では、ゲート口２１ａの周囲の領域の一部に表示部５が設けられているが、図１０に示すように、表示部５がゲート口２１ａを取り囲むように設けられていてもよい。つまり、表示部５は、ゲート口２１ａの周囲の領域の全てに設けられていてもよい。図１０に示す構成によれば、より多彩な表現が可能になる。
【００３９】
（第二の変形例）
制御部１は、図４のステップＳ１の処理の前に、上位装置の提供するサービスの提供期間の情報又は上位装置の指示から、現在がサービス提供期間内であるか否かを判定し、サービス提供期間外であればステップＳ８とステップＳ９の処理を行い、サービス提供期間内であればステップＳ１以降の処理を行うようにしてもよい。このようにすることで、カードリーダ１００に障害が発生していない場合でも、サービス提供期間外であれば、その旨を利用者に通知することができる。
【００４０】
（第三の変形例）
図４のステップＳ２やステップＳ９にて情報の表示を行ってから所定時間が経過した後に、表示部５の表示をオフにしてもよい。この場合には、例えば、ゲートフレーム２０に、人等の物体が近づいたことを検知するセンサを追加する。そして、制御部１は、図４のステップＳ２やステップＳ９にて情報の表示が行われ、その後にこの表示がオフになった状態にて、ゲートフレーム２０に物体が近づいたことがこのセンサにより検知されると、表示部５の表示を再開させる。このようにすることで、カードリーダ１００の省電力化を図ることができる。
【００４１】
ここまで説明してきたカードリーダ１００は、磁気カードに対する処理を行うものである。しかし、例えば、媒体としての紙幣又は貨幣に対しこれを識別する処理を行う装置における貨幣又は紙幣の投入部に対しても本発明を同様に適用可能である。
【００４２】
以上説明してきたように、本明細書には以下の事項が開示されている。
【００４３】
（１）
媒体に対する処理を行う媒体処理装置に搭載される媒体挿入部であって、
前記媒体が挿入される挿入口と、
前記媒体の挿入方向から見て前記挿入口の周囲の少なくとも一部に設けられた表示部と、を備え、
前記表示部は、前記媒体処理装置の状態を示す情報を表示する媒体挿入部。
【００４４】
（１）によれば、媒体処理装置の状態を利用者に対して正確にかつ容易に知らせることができる。
【００４５】
（２）
（１）記載の媒体挿入部であって、
前記表示部は、前記媒体が前記挿入口に挿入された状態において、前記媒体処理装置の状態を示す情報として、前記媒体に対する前記処理を実行中であることを示す情報を表示する媒体挿入部。
【００４６】
（２）によれば、媒体処理装置が処理をきちんと行っているかを利用者に通知することができ、利用者に安心感を与えることができる。
【００４７】
（３）
（１）又は（２）記載の媒体挿入部であって、
前記表示部は、前記媒体が前記挿入口に挿入されていない状態において、前記媒体処理装置の状態を示す情報として前記媒体に対する前記処理が可能であることを示す情報を表示する媒体挿入部。
【００４８】
（３）によれば、媒体処理装置が利用可能かどうかを表示部の情報によって把握することができる。このため、媒体処理装置の利便性を高めることができる。
【００４９】
（４）
（１）から（３）のいずれか１つに記載の媒体挿入部であって、
前記表示部は、前記媒体処理装置の状態を示す情報として、前記媒体に対する前記処理が不可であることを示す情報を表示する媒体挿入部。
【００５０】
（４）によれば、媒体処理装置が利用可能かどうかを表示部の情報によって把握することができる。このため、利用者が挿入口に媒体を無理やり挿入する等の事態を防ぐことができ、媒体挿入部の故障を防ぐことができる。
【００５１】
（５）
（１）から（４）のいずれか１つに記載の媒体挿入部であって、
前記表示部は、前記媒体処理装置の状態を示す情報として、前記媒体処理装置に生じている障害の内容を示す情報を表示する媒体挿入部。
【００５２】
（５）によれば、媒体処理装置に障害が生じていることを例えば媒体処理装置の管理者に知らせることができる。このため、媒体処理装置の修理を迅速に行うことができる。
【００５３】
（６）
（５）記載の媒体挿入部であって、
前記表示部は、前記媒体処理装置がメンテナンスモードの場合に前記障害の内容を示す情報を表示する媒体挿入部。
【００５４】
（６）によれば、媒体処理装置がメンテナンスモードの場合に障害の内容が表示されるため、媒体処理装置が利用可能な期間において利用者にとって不要な情報が利用者に通知されるのを防ぐことができる。
【００５５】
（７）
（１）から（６）のいずれか１つに記載の媒体挿入部であって、
前記媒体挿入部に物体が近づいたことを検知するセンサを備え、
前記表示部は、前記媒体挿入部に物体が近づいたことが前記センサにより検知された場合に、前記媒体処理装置の状態を示す情報の表示を開始する媒体挿入部。
【００５６】
（７）によれば、表示部の消費電力を低減することができる。
【００５７】
（８）
（１）から（７）のいずれか１つに記載の媒体挿入部であって、
前記表示部は、カラー表示が可能である媒体挿入部。
【００５８】
（８）によれば、カラーの情報を表示できるため、多彩な表現が可能となる。
【００５９】
（９）
（１）から（８）のいずれか１つに記載の媒体挿入部であって、
前記表示部は、液晶表示素子、有機ＥＬ表示素子、又は電子ペーパを含む媒体挿入部。
【００６０】
（９）によれば、より多くの情報を利用者等に通知することができる。
【００６１】
（１０）
（１）から（９）のいずれか１つに記載の媒体挿入部であって、
前記媒体はカードであり、前記媒体処理装置はカードリーダである媒体挿入部。
【００６２】
（１０）によれば、例えば、媒体処理装置による処理が不可であることを示す情報が表示部に表示されることで、利用者が挿入口に硬いカードを無理やり挿入する等の事態を防ぐことができ、媒体挿入部の故障を防ぐことができる。
【００６３】
（１１）
（１）から（１０）のいずれか１つに記載の媒体挿入部と、
前記表示部を制御する制御部と、を備える媒体処理装置。
【００６４】
（１１）によれば、媒体処理装置の利便性を向上させることができる。
【符号の説明】
【００６５】
１００  カードリーダ
１  制御部
２  磁気ヘッド
３  シャッタソレノイド
４ａ  幅検知スイッチ
４ｂ  シャッタ開閉スイッチ
４  検知スイッチ
５  表示部
６  上位ＩＦ
７  カード搬送機構
８  操作部
２０  ゲートフレーム
２１  拡開部
２１ａ  ゲート口
【図１】
2019144839.tif 000003
【図２】
2019144839.tif 000004
【図３】
2019144839.tif 000005
【図４】
2019144839.tif 000006
【図５】
2019144839.tif 000007
【図６】
2019144839.tif 000008
【図７】
2019144839.tif 000009
【図８】
2019144839.tif 000010
【図９】
2019144839.tif 000011
【図１０】
2019144839.tif 000012